(57)【要約】【課題】  製造コストを低減させることができるとともに、導通状態を堅固に維持することが可能なビデオ装置の提供を課題とする。【解決手段】  金属製のシャ−シ６１に固定された固定シリンダ６７とプリント基板６４とが、金属製のネジ６８により共締めされており、固定シリンダ６７とプリント基板６４との電気的導通が達成されている。これにより、固定シリンダとプリント基板とを、シャ−シを介して電気的に接続する場合と比較してより好適にア−スすることが可能となり、また、固定シリンダとプリント基板との導通状態を堅固に維持することが可能となる。さらに、固定シリンダとプリント基板とを接続する板金等を必要としないため製造コストの低減に繋がる。【選択図】  図３
2006191363.tif 000002
【特許請求の範囲】
【請求項１】
シャ−シに固定された固定シリンダと、同シャ−シに対向するプリント基板とを具備し、上記固定シリンダと上記プリント基板とを電気的に導通させることにより接地を行うように構成されたビデオ一体型テレビジョン装置において、
上記シャ−シと上記プリント基板とは、ネジにより２点で固定されており、
上記固定シリンダと上記プリント基板とが、金属製のネジにより共締めされることにより電気的に導通しており、
上記固定シリンダと上記プリント基板とを共締めしている上記ネジのネジ部の長さと、上記固定シリンダにおけるネジ穴の深さとが同一であることを特徴とするビデオ一体型テレビジョン装置。
【請求項２】
シャ−シに固定された固定シリンダと、同シャ−シに対向するプリント基板とを具備し、上記固定シリンダと上記プリント基板とを電気的に導通させることにより接地を行うように構成されたビデオ装置において、
上記固定シリンダと上記プリント基板とが、金属製のネジにより共締めされることにより電気的に導通していることを特徴とするビデオ装置。
【請求項３】
上記ネジのネジ部の長さと、上記固定シリンダにおけるネジ穴の深さとが同一であることを特徴とする請求項２に記載のビデオ装置。
【請求項４】
上記シャ−シと上記プリント基板とは、ネジにより２点で固定されていることを特徴とする請求項２または３に記載のビデオ装置。
【請求項５】
ビデオ映像を表示可能なディスプレイを具備するビデオ一体型テレビジョン装置であることを特徴とする請求項２〜４のいずれかに記載のビデオ装置。
【発明の詳細な説明】
【技術分野】
【０００１】
本発明は、静電気や電磁波に対するイミュニティ対策を施したビデオ装置や、ビデオ映像を表示させるためのディスプレイを具備するビデオ一体型テレビジョン装置に関するものである。
【背景技術】
【０００２】
従来、ビデオテ−プへの記録再生を行うビデオヘッドを有するヘッドシリンダを支持する固定シリンダとプリント基板、または、上記固定シリンダが固定されるシャ−シとプリント基板とを電気的に接続させてア−ス（接地）を行うようにしたビデオ装置が知られている（例えば、特許文献１〜３参照）。図５は、従来のビデオ装置のにおける固定シリンダ近傍を示す断面図である。同図において、金属製のシャ−シ１と、シャ−シ１と略平行に対向するプリント基板４とが、２つのネジ２Ａ、２Ｂにより固定されている。また、シャ−シ１には、ビデオテ−プの記録再生を行うヘッドを有するヘッドシリンダ６が、その上面が所定角度傾斜した状態で固定されており、ヘッドシリンダ６の下側には、ヘッドシリンダ６を回転可能に指示する固定シリンダ７が設けられている。
【０００３】
上述した固定シリンダ７とプリント基板４との間には、金属製の接続板金３が介装されている。同図に示すように、接続板金３は、３箇所で固定シリンダ７と接触しており、これにより、固定シリンダ７とプリント基板４とが電気的に導通し、ア−スがなされる。
【特許文献１】特開平６−１８７６９３号公報
【特許文献２】実登３０７５１０５号公報
【特許文献３】実開平４−３５２０３号公報
【発明の開示】
【発明が解決しようとする課題】
【０００４】
しかしながら、上述したビデオ装置では、固定シリンダとプリント基板との導通を達成するための接続板金を別途設ける必要がありコスト面での問題があった。特に、プリント基板の接地端子と固定シリンダとを接続させるために、上記接続板金は、特別な形状に高精度に成形する必要があるため、コスト高となってしまう。また、上記接続板金は、金属弾性により押圧して固定シリンダと接触しているため、接触箇所が不安定で脱落の虞がある。なお、図５に示したように、固定シリンダとプリント基板とを導通させる態様の他、固定シリンダが固定されるシャ−シとプリント基板とを導通させる方法も上述したが、この方法では、シャ−シ自体の電気抵抗に起因して、適度にア−スすることができないという問題があり、一部の国のイミュニティ規格（例えば、ヨ−ロッパのイミュニティ規格）に適合しない。
【０００５】
本発明は、上記課題にかんがみてなされたものであり、製造コストを低減させることができるとともに、導通状態を堅固に維持することが可能なビデオ装置を提供することを目的とする。
【課題を解決するための手段】
【０００６】
上記目的を達成するため、請求項２にかかる発明は、シャ−シに固定された固定シリンダと、同シャ−シに対向するプリント基板とを具備し、上記固定シリンダと上記プリント基板とを電気的に導通させることにより接地を行うように構成されたビデオ装置において、
上記固定シリンダと上記プリント基板とが、金属製のネジにより共締めされることにより電気的に導通している構成としてある。
【０００７】
上記のように構成した請求項２において、ビデオ装置は、シャ−シに固定された固定シリンダと同シャ−シに対向して設置されたプリント基板とを電気的に導通させるにあたり、固定シリンダとプリント基板とを金属製のネジにより共締めさせることにより電気的に導通させるように構成されている。このようにすることにより、プリント基板と固定シリンダとに接触させる複雑な形状の部材（上述した接続板金等）を必要とせず、ネジにより導通を達成することができるため、コスト面で優れる。また、プリント基板と固定シリンダとがネジにより共締めされるので、接続部分を堅固に維持することができ、振動等により接続部分が脱落してしまうことがない。さらに、固定シリンダとプリント基板とが、シャ−シを介することなる直接接続されているため、良好にア−スすることが可能となる。
【０００８】
また、請求項３にかかる発明は、上記ネジのネジ部の長さと、上記固定シリンダにおけるネジ穴の深さとが同一である構成としてある。
上記のように構成した請求項３において、ネジのネジ部（ネジが切られている部分）の長さと、固定シリンダのネジ穴の深さとが同一であるため、常に、ネジのネジ部のみが固定シリンダに螺号されるようにすることができる。これにより、固定シリンダとプリント基板とを同ネジにより共締めした際に、深く螺号させ過ぎて、プリント基板が反ったりすることを防止することが可能となる。
【０００９】
さらに、請求項４にかかる発明は、上記シャ−シと上記プリント基板とが、ネジにより２点で固定されている構成としてある。
上記のように構成した請求項４において、シャ−シとプリント基板とが固定される２点と、同シャ−シに固定されている固定シリンダとプリント基板とが固定される１点とを併せて、３点で固定することが可能となるため、シャ−シとプリント基板とを安定して固定させることができる。
【００１０】
さらに、請求項５にかかる発明は、ビデオ装置が、ビデオ映像を表示可能なディスプレイを具備するビデオ一体型テレビジョン装置である構成としてある。
上記のように構成した請求項５において、ビデオ一体型テレビジョン装置に本発明を適用することが可能となる。
【発明の効果】
【００１１】
以上説明したように請求項２にかかる発明によれば、製造コストを低減させることができるとともに、固定シリンダとプリント基板との接続部分を堅固に維持することが可能となる。
また、請求項３にかかる発明によれば、固定シリンダとプリント基板とを同ネジにより共締めした際に、深く螺号させ過ぎて、プリント基板が反ったりすることを防止することが可能となる。
さらに、請求項４にかかる発明によれば、シャ−シとプリント基板とを安定して固定させることができる。
さらに、請求項５にかかる発明によれば、ビデオ一体型テレビジョン装置に本発明を適用することが可能となる。
【発明を実施するための最良の形態】
【００１２】
以下、下記の順序に従って本発明の実施形態を説明する。
（１）ビデオ一体型テレビジョン装置の外観：
（２）ビデオ一体型テレビジョン装置の内部構成：
（３）固定シリンダとプリント基板との接続：
（４）各種変形例：
（５）まとめ：
【００１３】
（１）ビデオ一体型テレビジョン装置の外観：
以下、図面に基づいて本発明の実施形態を説明する。
図１は、実施形態にかかるビデオ一体型テレビジョン装置の外観図である。同図において、ビデオ一体型テレビジョン装置１０は、受信したテレビジョン放送信号に基づく映像、および、ビデオテ−プの再生映像を表示させるためのディスプレイ１１を具備している。このディスプレイ１１は、ブラウン管からなるものであるが、液晶表示器やＰＤＰ表示器からなるものであってもよい。また、ディスプレイ１１の下側には、ビデオテ−プの挿入口１２が設けられており、その下側には、受信チャンネルの選択、ビデオテ−プの再生、巻き戻し、早送り等の操作を行う操作パネル部１３が設けられている。
【００１４】
（２）ビデオ一体型テレビジョン装置の内部構成：
図２は、実施形態にかかるビデオ一体型テレビジョン装置の内部構成を示すブロック図である。同図において、ビデオ一体型テレビジョン装置１０は、チュ−ナ２０を備えており、マイコン３０から送出される所定の選局信号に基づいて所望の放送局からのテレビジョン放送電波が受信される。このチュ−ナ２０は、信号系回路４０と接続されており、受信されたテレビジョン放送電波に基づくテレビジョン信号は、信号系回路４０に入力される。ビデオ記録時には、信号系回路４０は、入力テレビジョン信号を輝度信号と搬送色信号に分離し、これらの信号にはＦＭ変調と低域変換が施され、両者が混合・増幅されて後述するヘッド系回路５０に出力される。信号系回路４０は、Ｄ／Ａ変換回路４１を備えており、入力されるデジタル信号をアナログ信号に変換してヘッド系回路６０に出力する。また、音声信号に関しては、オ−ディオヘッドからの再生信号を再生処理して出力している。信号系回路４０にて処理が施された映像信号は、ディスプレイ１１に供給され、また、信号系回路４０にて処理が施された音声信号は、スピ−カ１４に供給される。
【００１５】
ヘッド系回路６０は、ビデオテ−プへの映像信号の記録再生を行うビデオヘッドやオ−ディオヘッド、コントロ−ルヘッド等からなる磁気ヘッド群と、同磁気ヘッド群の周辺装置にて構成される。この周辺装置には、上記ビデオヘッドが配設されるヘッドシリンダ６６（図示せず）や、ヘッドシリンダを回転可能に支持する固定シリンダ６７（図示せず）や、ヘッドシリンダ６６を回転駆動するためのシリンダモ−タ等が含まれる。なお、上述したヘッドシリンダ６６、固定シリンダ６７については、後に図面を用いて説明する。
上述のようにＤ／Ａ変換回路４１が出力する音声信号は、ヘッド系回路６０のオ−ディオヘッドに入力され、同音声信号に基づく音声を再生可能な状態で音声トラックに書き込まれる。また、Ｄ／Ａ変改回路４１が出力する映像信号は、ヘッド系回路６０のビデオヘッドに入力され、同映像信号に基づく音声を再生可能な状態で映像トラックに書き込まれる。テ−プ駆動系回路７０は、実際にテ−プを走行駆動するリ−ルモ−タやキャプスタンモ−タ等にて構成され、同リ−ルモ−タやキャプスタンモ−タおよび上述したシリンダモ−タは、サ−ボ系回路８０により駆動制御される。
【００１６】
図１に示した操作パネル１３と、リモコン５３とを介して操作指示することにより、ビデオ記録／再生や、予約記録時間帯の入力といった各種の処理を行うことが可能である。すなわち、操作パネル１３における操作内容はマイコン３０によって検出され、マイコン３０が上記チューナ２０の選局制御を行ったり、サーボ系回路８０を駆動して頭出しなどを制御する。また、利用者がリモコン５３上の操作ボタンを押し下げると、押し下げられた操作ボタンに応じた赤外線リモコン信号が送出される。そして、この赤外線リモコン信号をマイコン３０が図示しないリモコン信号受光部を介して受信するとともにその操作内容を検知し、対応した処理を実行する。
【００１７】
マイコン３０は、上述のように操作パネル１１、チューナ２０、信号系回路４０、サーボ系回路８０等を制御するようになっており、ＣＰＵ３１とＥＥＰＲＯＭ３２およびＲＡＭ３３とからなるプログラム実行環境を備えている。すなわち、ＲＡＭ３３を一時的なワ−クエリアとして使用しつつ、ＥＥＰＲＯＭ３２に記録されたプログラムを実行するようになっている。
【００１８】
（３）固定シリンダとプリント基板との接続：
図３は、図１、図２に示したビデオ一体型テレビジョン装置１０における固定シリンダ６７近傍を示す断面図である。同図において、円盤形状の固定シリンダ６７は、金属製のシャ−シ６１と固定されている。なお、図３には示していないが、このシャ−シ６１上には、固定シリンダ６７の他、ビデオテ−プのテ−プリ−ルを係合軸支させる供給リ−ル軸および巻取リ−ル軸、テ−プリ−ルから供給されるテ−プを後述するヘッドシリンダ６６に巻装させるための長孔レ−ル等が配設される。また、シャ−シ６１に固定された固定シリンダ６７の上側には、上記ビデオヘッド（図示せず）が配設されている円盤形状のヘッドシリンダ６６が、固定シリンダ６７に対して回動可能に支持されている。
また、シャ−シ６１と略平行に対向してプリント基板６４が配置されている。シャ−シ６１とプリント基板６４とは、２つのネジ６２Ａ、６２Ｂにより共締めされており、これにより、所定間隔をあけた平行状態が維持されている。
【００１９】
上述した固定シリンダ６７とプリント基板６４とは、先端部にのみネジが切られたネジ部を有するネジ６８により共締めされている。図４は、図３に示した固定シリンダ６７とプリント基板６４との連結部分の拡大図である。同図において、ネジ６８は、プリント基板６４を上下に貫通してねじ頭部がプリント基板６４の底面に固定されるとともに、先端のネジ部６８ａが固定シリンダ６７に螺号されている。なお、プリント基板６４には図示しない接地端子が形成されており、ネジ６８は同接地端子と接触している。ネジ６８は、先端部にネジが切られたネジ部６８ａであるとともに、その下側は、ネジが切られていない平坦部６８ｂとなっている。ネジ６８におけるネジ部６８ａが形成されている長さは、固定シリンダ６７に形成されたネジ穴６７ａの深さと同じになっており、ネジ６８をネジ穴６７ａの奥端まで螺号させたときには、ネジ部６８ａの全てがネジ穴６７ａに埋没することとなる。
【００２０】
図３、図４に示したように、実施形態にかかるビデオ一体型テレビジョン装置１０では、バネ６８により固定シリンダ６７とプリント基板６４とが共締めされることにより電気的に導通させることが可能となる。この場合、固定シリンダ６７とプリント基板６４とを直接接続することができるため、プリント基板６４とシャ−シ６１とを接続し、固定シリンダ６７とプリント基板６４とがシャ−シ６１を介して電気的に接続される場合よりも導通性に優れ、より好適にア−スすることが可能となる。また、ネジ６８により固定シリンダ６７とプリント基板６４とが共締めされているため、単に板金等を固定シリンダに接触させる場合と比較して接続部分の安定性に優れ、振動等により接続が脱落してしまうことがない。また、上記板金等を必要としないためコスト面でも優れたものとなる。
【００２１】
（４）各種変形例：
上述した実施形態では、固定シリンダとプリント基板とが１つのネジにより共締めされている場合について説明したが、２以上のネジにより固定シリンダとプリント基板とを共締めするようにしてもよい。
また、本発明では、固定シリンダとプリント基板とを電気的に導通させるためのネジの材質は、導電性の部材であれば特に限定されるものではないが、電気抵抗が小さく、且つ、強度のある部材（例えば、銅等）を用いることが望ましい。
【００２２】
また、上述した実施形態では、本発明のビデオ装置がビデオ一体型テレビジョン装置である場合について説明したが、本発明のビデオ装置は、ビデオテ−プの再生が可能であるものであれば特に限定されるものではなく、ビデオテ−プの再生のみを行い、映像を表示させるディスプレイを具備しないビデオデッキであってもよい。
また、本発明では、固定シリンダとプリント基板とをネジで共締めするだけではなく、これに加え、固定シリンダが固定された金属製のシャ−シとプリント基板とを導電性の部材により接続させることを併用してもよい。
【００２３】
以上、説明したように、実施形態にかかるビデオ一体型テレビジョン装置１０によれば、金属製のシャ−シ６１に固定された固定シリンダ６７とプリント基板６４とが、金属製のネジ６８により共締めされており、これにより、固定シリンダ６７とプリント基板６４との電気的導通が達成されている。そのため、固定シリンダとプリント基板とを、シャ−シを介して電気的に接続する場合と比較してより好適にア−スすることが可能となり、また、固定シリンダとプリント基板との導通状態を堅固に維持することが可能となる。さらに、固定シリンダとプリント基板とを接続する板金等を必要としないため製造コストの低減に繋がる。
【図面の簡単な説明】
【００２４】
【図１】実施形態にかかるビデオ一体型テレビジョン装置の外観図である。
【図２】実施形態にかかるビデオ一体型テレビジョン装置の内部構成を示すブロック図である。
【図３】図１、図２に示したビデオ一体型テレビジョン装置における固定シリンダ近傍を示す断面図である。
【図４】図３における固定シリンダとプリント基板の連結部分の拡大図である。
【図５】従来のビデオ装置における固定シリンダ近傍を示す断面図である。
【符号の説明】
【００２５】
１０…ビデオ一体型テレビジョン装置
１１…ディスプレイ
１２…挿入口
１３…操作パネル部
１４…スピ−カ
２０…チュ−ナ
３０…マイコン
３１…ＣＰＵ
３２…ＥＥＰＲＯＭ
３２ａ…塵埃堆積警告画像デ−タ
３２ｂ…電源オフ予告画像デ−タ
３３…ＲＡＭ
４０…信号系回路
４１…Ｄ／Ａ変換回路
５１…テ−プ駆動系回路
５０…リ−ルセンサ
５０ａ…赤外線ＬＥＤ
５０ｂ…フォトトランジスタ
５３…リモコン
５５…塵埃検知センサ
５５ｂ…フォトトランジスタ
６０…ヘッド系回路
６１…シャ−シ
６２Ａ、６２Ｂ…ネジ
６４…プリント基板
６６…ヘッドシリンダ
６７…固定シリンダ
６７ａ…ネジ穴
６８…ネジ
６８ａ…ネジ部
６８ｂ…平坦部
７０…テ−プ駆動系回路
【図１】
2006191363.tif 000003
【図２】
2006191363.tif 000004
【図３】
2006191363.tif 000005
【図４】
2006191363.tif 000006
【図５】
2006191363.tif 000007